(57)【要約】【課題】太陽光発電シートの巻き取り径を小さくする。巻き取り時の曲げによって太陽光発電シートがダメージを受け難くする。【解決手段】太陽光発電シート５５は、ローラ２に巻き取り可能な可撓性のベースシート５０と、ベースシート５０上に設けられ、少なくともベースシート５０の長さ方向に複数並べることができる大きさの複数枚の矩形状の可撓性の太陽電池フィルム５１と、太陽電池フィルム５１の出力を集める第１の配線とを備え、太陽電池フィルム５１は少なくともベースシート５０の長さ方向に間隔をあけて並べられており、ベースシート５０の全幅に亘る太陽電池フィルム５１の無いブランク領域５３がベースシート５０の長さ方向に間隔をあけて複数設けられている。また、巻き取り式日除け装置は、日除け用のスクリーンとして太陽光発電シートを使用すると共に、巻き取り式太陽光発電シートから太陽電池フィルムの出力を取り出す第２の配線を備えている。【選択図】図１
2013183101.tif 000002
【特許請求の範囲】
【請求項１】
ローラに巻き取り可能な可撓性のベースシートと、前記ベースシート上に設けられ、少なくとも前記ベースシートの長さ方向に複数並べることができる大きさの複数枚の可撓性の太陽電池フィルムと、前記太陽電池フィルムの出力を集める第１の配線とを備え、前記太陽電池フィルムは少なくとも前記ベースシートの長さ方向に間隔をあけて並べられており、前記ベースシートの全幅に亘る太陽電池フィルムの無いブランク領域が前記ベースシートの長さ方向に間隔をあけて複数設けられていることを特徴とする巻き取り式太陽光発電シート。
【請求項２】
前記太陽電池フィルムは矩形状をなしており、前記ベースシートの幅方向に複数並べられて列を成し、当該列が前記ブランク領域を挟んで前記ベースシートの長さ方向に複数並べられており、前記列において前記太陽電池フィルムは間隔をあけて並べられていることを特徴とする請求項１記載の巻き取り式太陽光発電シート。
【請求項３】
前記太陽電池フィルムは、前後の前記列で前記ベースシートの幅方向に１／２ずつずれて配置されていることを特徴とする請求項２記載の巻き取り式太陽光発電シート。
【請求項４】
前記ベースシートの前記太陽電池フィルムの間の部位に対応する部位には目隠し模様が付されていることを特徴とする請求項１から３のいずれか１つに記載の巻き取り式太陽光発電シート。
【請求項５】
前記ベースシートは透明又は半透明であることを特徴とする請求項１から４のいずれか１つに記載の巻き取り式太陽光発電シート。
【請求項６】
前記複数の太陽電池フィルムのうち一部の太陽電池フィルムが当該太陽電池フィルムと同程度の厚みの可撓性のスクリーン片に置き換えられていることを特徴とする請求項１から５のいずれか１つに記載の巻き取り式太陽光発電シート。
【請求項７】
前記スクリーン片は光を透過させることを特徴とする請求項６記載の巻き取り式太陽光発電シート。
【請求項８】
日除け用のスクリーンとして請求項１から７のいずれか１つに記載の巻き取り式太陽光発電シートを使用すると共に、前記巻き取り式太陽光発電シートから前記太陽電池フィルムの出力を取り出す第２の配線を備えることを特徴とする巻き取り式日除け装置。
【発明の詳細な説明】
【技術分野】
【０００１】
本発明は、ローラに巻き取るようにして収容すると共に使用時にローラから引き出して広げる巻き取り式太陽光発電シート、及びこれを日除け用のスクリーンとして使用するロールスクリーン装置やオーニング等の巻き取り式日除け装置に関する。
【背景技術】
【０００２】
巻き取り可能なスクリーンに太陽電池フィルムを設け、使用時にスクリーンと一緒に太陽電池フィルムを広げて日除けしながら発電を行うようにしたロールスクリーン装置がある（例えば、特許文献１）。このロールスクリーン装置を図１４及び図１５に示す。このロールスクリーン装置では、太陽電池フィルム１０１としてスクリーン１０２とほぼ同じ長さのものが使用されており、不使用時にはスクリーン１０２と一緒にローラ１０３に巻き取るようにしている。
【先行技術文献】
【特許文献】
【０００３】
【特許文献１】特開２００８−４２１４２号公報
【発明の概要】
【発明が解決しようとする課題】
【０００４】
しかしながら、上記のロールスクリーン装置では、スクリーン１０２と一緒に太陽電池フィルム１０１を巻き取るため、たとえ太陽電池フィルム１０１がフィルム状のもので巻き取り可能なものであったとしても、通常のスクリーン（太陽電池フィルムが無いもの）を巻き取るときのように巻き取り径を小さくすることができない。また、小さく巻き取るために無理に巻き取り径を小さくすると、太陽電池フィルム１０１を無理に曲げることになり、太陽電池フィルム１０１にダメージを与える虞がある。
【０００５】
本発明は、巻き取り径を小さくすることができると共に、巻き取り時の曲げによるダメージを受け難くすることができる巻き取り式太陽光発電シートと、これを使用した巻き取り式日除け装置を提供することを目的とする。
【課題を解決するための手段】
【０００６】
かかる目的を達成するために、請求項１記載の巻き取り式太陽光発電シートは、ローラに巻き取り可能な可撓性のベースシートと、ベースシート上に設けられ、少なくともベースシートの長さ方向に複数並べることができる大きさの複数枚の可撓性の太陽電池フィルムと、太陽電池フィルムの出力を集める第１の配線とを備え、太陽電池フィルムは少なくともベースシートの長さ方向に間隔をあけて並べられており、ベースシートの全幅に亘る太陽電池フィルムの無いブランク領域がベースシートの長さ方向に間隔をあけて複数設けられているものである。
【０００７】
また、請求項２記載の巻き取り式太陽光発電シートは矩形状をなしており、太陽電池フィルムがベースシートの幅方向に複数並べられて列を成し、当該列がブランク領域を挟んでベースシートの長さ方向に複数並べられており、列において太陽電池フィルムは間隔をあけて並べられているものである。
【０００８】
また、請求項３記載の巻き取り式太陽光発電シートは、太陽電池フィルムが、前後の列でベースシートの幅方向に１／２ずつずれて配置されているものである。
【０００９】
また、請求項４記載の巻き取り式太陽光発電シートは、ベースシートの太陽電池フィルムの間の部位に対応する部位には目隠し模様が付されているものである。
【００１０】
また、請求項５記載の巻き取り式太陽光発電シートは、ベースシートを透明又は半透明にしている。
【００１１】
また、請求項６記載の巻き取り式太陽光発電シートは、複数の太陽電池フィルムのうち一部の太陽電池フィルムが当該太陽電池フィルムと同程度の厚みの可撓性のスクリーン片に置き換えられているものである。
【００１２】
また、請求項７記載の巻き取り式太陽光発電シートは、スクリーン片が光を透過させるものである。
【００１３】
さらに、請求項８記載の巻き取り式日除け装置は、日除け用のスクリーンとして請求項１から７のいずれか１つに記載の巻き取り式太陽光発電シートを使用すると共に、巻き取り式太陽光発電シートから太陽電池フィルムの出力を取り出す第２の配線を備えるものである。
【発明の効果】
【００１４】
請求項１記載の巻き取り式太陽光発電シートでは、ベースシートの全幅に亘る太陽電池フィルムの無いブランク領域がベースシートの長さ方向に間隔をあけて複数設けられているので、このブランク領域を大きく湾曲させることで、太陽電池フィルムのある領域をあまり大きく湾曲させなくても、巻き取り式太陽光発電シートの巻き取り径を小さくすることができる。また、太陽電池フィルムを強く曲げる必要がないので、太陽電池フィルムにダメージを与え難くすることができる。
【００１５】
ここで、請求項２記載の巻き取り式太陽光発電シートのように、太陽電池フィルムは矩形状を成しており、この太陽電池フィルムをベースシートの幅方向に複数並べて列を成し、当該列をブランク領域を挟んでベースシートの長さ方向に複数並べており、列において太陽電池フィルムを間隔をあけて並べるようにしても良い。矩形状の太陽光発電シートを並べる事で、複数の太陽電池フィルムを効率よく配置する事が可能になる。
【００１６】
また、請求項３記載の巻き取り式太陽光発電シートでは、太陽電池フィルムが前後の列でベースシートの幅方向に１／２ずつずれて配置されているので、各太陽電池フィルムの並びがいわば煉瓦造りの壁のような模様となり、デザイン性を向上させることができる。
【００１７】
また、請求項４記載の巻き取り式太陽光発電シートでは、ベースシートの太陽電池フィルムの間の部位に対応する部位に目隠し模様が付されているので、太陽電池フィルムと太陽電池フィルムの間の部位に設けられる第１の配線を目隠し模様で隠す又は目立たなくすることができ、デザイン性を向上させることができる。また、目隠し模様はベースシートに設けられているので、目隠し用の特別な部材を別個に設ける必要がなく、製造コストを安くすることができる。
【００１８】
また、請求項５記載の巻き取り式太陽光発電シートでは、ベースシートが透明又は半透明であるので、ベースシートのみの部分からの採光が可能となり、太陽光発電シートを張った場合の内側空間が暗くなり過ぎるのを防止することができる。
【００１９】
また、請求項６記載の巻き取り式太陽光発電シートでは、複数の太陽電池フィルムのうち一部の太陽電池フィルムが当該太陽電池フィルムと同程度の厚みの可撓性のスクリーン片に置き換えられているので、太陽電池フィルムとスクリーン片とで模様を構成することができ、デザイン性をより一層向上させることができる。また、太陽電池フィルムとスクリーン片とは同程度の厚みを有しているので、ベースシートの幅方向において太陽光発電シートの厚みをほぼ揃えることができる。そのため、太陽光発電シートを均一に巻き取り易くすることができる。
【００２０】
また、請求項７記載の巻き取り式太陽光発電シートでは、スクリーン片が光を透過させるので、スクリーン片の部分からの採光が可能となり、太陽光発電シートを張った場合の内側空間が暗くなり過ぎるのを防止することができる。
【００２１】
また、請求項８記載の巻き取り式日除け装置では、日除け用のスクリーンとして請求項１から７のいずれか１つに記載の巻き取り式太陽光発電シートを使用すると共に、巻き取り式太陽光発電シートから太陽電池フィルムの出力を取り出す第２の配線を備えているので、ロールスクリーン装置やオーニング等の日除け装置を使用して太陽光発電を行うことができる。
【図面の簡単な説明】
【００２２】
【図１】本発明の巻き取り式太陽光発電シートの実施形態の一例を示す正面図である。
【図２】同巻き取り式太陽光発電シートを示す分解斜視図である。
【図３】同巻き取り式太陽光発電シートの太陽電池フィルムの接続回路を示すブロック図である。
【図４】巻き取り式太陽光発電シートの他の実施形態を示す正面図である。
【図５】本発明の巻き取り式日除け装置の実施形態の一例を示し、スクリーンを降ろした状態（ロールから引き出した状態）の正面図である。
【図６】同巻き取り式日除け装置を示し、スクリーンを上げた状態（ロールに巻き取った状態）の正面図である。
【図７】同巻き取り式日除け装置の側面図である。
【図８】図６のＺ−Ｚ線に沿う横断面図である。
【図９】操作手段の断面図である。
【図１０】図９のIII−III線に沿う断面を示し（Ａ）は操作手段を操作していない状態の断面図、（Ｂ）は操作手段を操作している状態の断面図である。
【図１１】図９のIV−IV線に沿う断面を示し（Ａ）は操作手段を操作していない状態の断面図、（Ｂ）は操作手段を操作している状態の断面図である。
【図１２】シャフトに操作手段および係止手段を組み付ける様子を示す分解図である。
【図１３】フロントフレームの端をガイドレールによって案内する様子を示し、（Ａ）はサイドフレームの横断面図、（Ｂ）はサイドフレームの縦断面図である。
【図１４】従来のロールスクリーン装置の断面図である。
【図１５】従来のロールスクリーン装置の太陽電池フィルムの斜視図である。
【発明を実施するための形態】
【００２３】
以下、本発明の構成を図面に示す形態に基づいて詳細に説明する。
【００２４】
図１〜図３に、本発明の巻き取り式太陽光発電シートの実施形態の一例を示す。巻き取り式太陽光発電シート（以下、単に太陽光発電シートという）５５は、ローラ２に巻き取り可能な可撓性のベースシート５０と、ベースシート５０上に設けられ、少なくともベースシート５０の長さ方向に複数並べることができる大きさの複数枚の矩形状の可撓性の太陽電池フィルム５１と、太陽電池フィルム５１の出力を集める第１の配線５２とを備えている。また、太陽電池フィルム５１は少なくともベースシート５０の長さ方向に間隔をあけて並べられており、ベースシート５０の全幅に亘る太陽電池フィルム５１の無いブランク領域５３がベースシート５０の長さ方向に間隔をあけて複数設けられている。なお、図１等において、太陽電池フィルム５１とスクリーン片５４を濃淡の着色で区別している。
【００２５】
なお、ベースシート５０の長さ方向は、ローラ２に対して太陽光発電シート５５（ベースシート５０）を巻き取る方向及び引き出す方向（図１の上下方向）であり、ベースシート５０の幅方向は、ローラ２の軸方向（図１の左右方向）である。
【００２６】
ベースシート５０は太陽電池フィルム５１及びスクリーン片５４を保護するためのもので、本実施形態ではベースシート５０としてバックシート５０Ａとサーフェスシート５０Ｂを備えており、これら２枚のシート５０Ａ，５０Ｂで太陽電池フィルム５１及びスクリーン片５４を挟み込んでラミネート加工されている。太陽電池フィルム５１の光を当てる側の面にサーフェスシート５０Ｂを配置する。ただし、必ずしもベースシート５０としてバックシート５０Ａとサーフェスシート５０Ｂとの両方を備えている必要はなく、どちらか一方を省略しても良い。また、本実施形態ではベースシート５０としてフッ素樹脂シート（PTFE：ポリテトラフルオロエチレン）を使用しているが、これに限られず、例えば、ＰＥＴ（ポリエチレンテレフタレート）製のシート、アルミフィルム、ガラス繊維シート等の使用が可能である。また、バックシート５０Ａとサーフェスシート５０Ｂの材料を同じにしても良いし、相違させても良い。本実施形態では、バックシート５０Ａとサーフェスシート５０Ｂの外側面は凸凹面になっており、凸凹の大きさや形状を違えることで厚さや材料の相違、太陽光の当たり方の相違等による温度差等による膨張の差を吸収するようにしているが、支障がなければ凸凹の大きさや形状を変えなくても良い。
【００２７】
ベースシート５０は透明又は半透明であり、光を透過させる。特に、サーフェスシート５０Ｂは光の透過率が良好であり、太陽電池フィルム５１により多くの光が当たるようにしている。ただし、バックシート５０Ａについては光を透過させないものにしても良く、この場合には裏側（光を当てる側の反対側）から太陽電池フィルム５１が透けて見えるのを防止することができる。
【００２８】
バックシート５０Ａと太陽電池フィルム５１及びスクリーン片５４との間、太陽電池フィルム５１及びスクリーン片５４とサーフェスシート５０Ｂとの間には図示しない封止材がそれぞれ挟み込まれている。封止材としては、例えばＥＶＡ（エチレン酢酸ビニル共重合樹脂）シートが使用されているがこれに限られない。
【００２９】
バックシート５０Ａ及びサーフェスシート５０Ｂは例えば矩形状を成しているが、矩形状に限られず使用場所等に応じて適宜決定される。また、バックシート５０Ａ及びサーフェスシート５０Ｂの大きさは使用場所等に応じて適宜決定される。例えば、２０００ｍｍ×３０００ｍｍである。なお、１枚のものとして製造できる大きさよりも大きなサイズの太陽光発電シート５５を製造する場合には、複数枚の小さな太陽光発電シート５５を接続して１枚の大きな太陽光発電シート５５にすることが好ましい。
【００３０】
本実施形態では、太陽電池フィルム５１とスクリーン片５４とで形成する太陽光発電シート５５の模様を煉瓦作りの壁のような模様にするために、太陽電池フィルム５１及びスクリーン片５４を矩形状にしている。ただし、太陽電池フィルム５１とスクリーン片５４の形状は矩形状に限られず、他の形状にして太陽光発電シート５５の模様を他の模様にしても良い。また、本実施形態では太陽電池フィルム５１とスクリーン片５４を同一形状にしているが、別形状にしても良い。さらに、本実施形態のように全ての太陽電池フィルム５１を同一形状にしても良いし、複数の形状の太陽電池フィルム５１を一緒に使用しても良い。また、全てのスクリーン片５４を同一形状にしても良いし、本実施形態のように複数の形状のスクリーン片５４を一緒に使用しても良い。
【００３１】
太陽電池フィルム５１として、例えば４８２ｍｍ×１５３ｍｍ、３２５ｍｍ×２１３ｍｍの大きさの矩形状のものを使用する。
【００３２】
また、本実施形態では、太陽光発電シート５５の模様を煉瓦作りの壁のような模様にするために、太陽電池フィルム５１及びスクリーン片５４として煉瓦色（煉瓦の色と同系統の色）のものを使用している。なお、スクリーン片５４として太陽電池フィルム５１と若干異なる色のものを採用することが好ましく、この場合には、色にばらつきのある煉瓦を積み上げた模様になり、本物の煉瓦造りの壁により近い風合いにすることができる。
【００３３】
太陽電池フィルム５１はベースシート５０の幅方向に複数並べられて列６２を成し、当該列６２がブランク領域５３を挟んでベースシート５０の長さ方向に複数並べられている。ここで、スクリーン片５４を使用せずに太陽電池フィルム５１のみを並べるようにしても良いが、本実施形態のように、複数の太陽電池フィルム５１のうち一部の太陽電池フィルム５１をスクリーン片５４に置き換えても良い。太陽電池フィルム５１のみを並べる場合には出力（発電量）を大きくすることができるが、一部をスクリーン片５４に置き換えた場合には色や光沢や光の透過性等を変えることで太陽光発電シート５５のデザイン性を向上させることができる。また、光を透過させない太陽電池フィルム５１のみを並べた場合には太陽光発電シート５５を張った場合にその内側空間が暗くなる虞があるが、一部の太陽電池フィルム５１をスクリーン片５４に置き換えた場合には、スクリーン片５４として光を透過させるものを採用することで太陽光発電シート５５の内側空間が暗くなり過ぎるのを防止することができる。
【００３４】
また、列６２において太陽電池フィルム５１及びスクリーン片５４は間隔をあけて並べられている。本実施形態では、太陽電池フィルム５１及びスクリーン片５４は、前後の列６２でベースシート５０の幅方向に１／２ずつずらして配置されている。ただし、ずらし量は１／２に限るものではなく、例えば１／３，１／４でも、その他でも良い。また、すらさなくても良い。太陽電池フィルム５１及びスクリーン片５４を前後の列６２でベースシート５０の幅方向に１／２ずつずらすことで、太陽電池フィルム５１及びスクリーン片５４の並びがいわば煉瓦造りの壁のような模様となり、デザイン性を向上させることができる。
【００３５】
太陽電池フィルム５１として、例えばアモルファスシリコン型、色素増感型のフィルム型太陽電池の使用が可能であるが、これらには限られない。各太陽電池フィルム５１は第１の配線５２によって例えば並列に接続されている。ただし、接続態様としては並列に限られず、直列、直列と並列の混合でも良い。第１の配線５２は太陽電池フィルム５１やスクリーン片５４の間、即ち煉瓦造りの壁模様の目地に相当する部分に設けられている。第１の配線５２としてプラス用のものとマイナス用のものが設けられている。第１の配線５２は太陽光発電シート５５の例えばローラ２側の端に設けられている一対の取り出し電極５６，５７にそれぞれ接続されている。各太陽電池フィルム５１はラミネートされる前に第１の配線５２で接続されてユニット化されている。
【００３６】
スクリーン片５４は可撓性を有する布地、シート、フィルム等の部材である。スクリーン片の素材としては、例えばポリエステル、ポリ塩化ビニル、アクリル、ポリカーボネート等の使用が可能であるが、これらには限られない。スクリーン片５４は太陽電池フィルム５１と同程度の厚みを有していることが好ましい。スクリーン片５４と太陽電池フィルム５１との厚みを同程度にすることで、ベースシート５０の幅方向において太陽光発電シート５５の厚みをほぼ揃えることができ、太陽光発電シート５５を均一に巻き取り易くすることができる。ただし、太陽光発電シート５５の巻き取りが困難にならない範囲で太陽電池フィルム５１のよりも厚い又は薄いスクリーン片５４を採用しても良い。
【００３７】
本実施形態では、スクリーン片５４として光を透過させるものを採用している。本実施形態ではスクリーン片５４として布地を採用しており、織り目の隙間から光を透過させている。ただし、透明又は半透明のフィルムやシートを使用することでスクリーン片５４を光を透過させるものにしても良い。スクリーン片５４として光を透過させるものを使用することで、スクリーン片５４の部分からの採光が可能となり、太陽光発電シート５５を張った場合の内側空間が真っ暗になるのを防止して薄明かりの雰囲気のある空間にすることができる。ただし、スクリーン片５４を光を透過させないシートやフィルム等にしても良い。
【００３８】
ベースシート５０の太陽電池フィルム５１及びスクリーン片５４の間の部位（本実施形態では、煉瓦造りの壁模様の目地部分）に対応する部位には目隠し模様５８が付されている。本実施形態では、サーフェスシート５０Ｂに目隠し模様５８が付されている。目隠し模様５８を付す手段としては、サーフェスシート５０Ｂに目地状のパターンを印刷することや、目地状のシートやフィルムを貼り合わせておくこと等があるがこれらには限られない。なお、サーフェスシート５０Ｂに代えて、又はサーフェスシート５０Ｂに加えてバックシート５０Ａに目隠し模様５８を付しても良い。目隠し模様５８を付すことで目地部分に設けられる第１の配線５２を隠す又は目立たなくすることができ、デザイン性を向上させることができる。しかも、目隠し模様５８はベースシート５０に設けられているので、目隠し用の特別な部材を別個に設ける必要がなく、製造コストの増加を抑えることができる。
【００３９】
また、本実施形態では、バックシート５０Ａに煉瓦造りの壁模様（以下、煉瓦壁模様という）５９が付されている。煉瓦壁模様５９は太陽電池フィルム５１及びスクリーン片５４によって形成される煉瓦壁模様に一致するように設けられている。煉瓦壁模様５９を付す手段としては、バックシート５０Ａに印刷しておくことや、煉瓦壁模様が付されたシートやフィルムを貼り合わせておくこと等があるがこれらには限られない。煉瓦壁模様５９を付すことで、太陽光発電シート５５の内側に見える太陽電池フィルム５１や第１の配線５２を隠すことができ、デザイン性を向上させることができる。なお、バックシート５０Ａが不透明の場合には太陽電池フィルム５１や第１の配線５２を隠すという効果はなくなるが、その場合であっても煉瓦壁模様５９があることで太陽光発電シート５５のデザイン性を向上させることができる。煉瓦壁模様５９はバックシート５０Ａに設けられているので、特別な部材を別個に設ける必要がなく、製造コストを安くすることができる。ただし、バックシート５０Ａに煉瓦壁模様５９を設けなくても良い。
【００４０】
太陽光発電シート５５は、太陽電池フィルム５１の列６２の間に、ベースシート５０の全幅に亘るブランク領域５３がベースシート５０の長さ方向に間隔をあけて複数設けられているので、このブランク領域５３を太陽電池フィルム５１のある領域よりも大きく湾曲させることで、太陽電池フィルム５１のある領域を強く曲げなくても太陽光発電シート５５の巻き取り径を小さくすることができる。
【００４１】
また、太陽電池フィルム５１を強く曲げる必要がないので、太陽電池フィルム５１にダメージを与え難くすることができる。
【００４２】
本発明では、太陽光発電シート５５として大きなものを１枚又は数枚設けるのではなく、ベースシート５０に比べて著しく小さいものを多数設けるようにしているので、太陽電池フィルム５１とスクリーン片５４との組み合わせ、配置、色等を変えることで太陽光発電シート５５としての模様を変えることができ、デザインの自由度に優れている。例えば図４に示すように、太陽電池フィルム５１とスクリーン片５４の個数と配置等を変えることで、別のデザインの煉瓦壁模様にすることができる。このように本実施形態の太陽光発電シート５５は、特に煉瓦壁模様のような模様との相性が良い。また、ベースシート５０の大きさや形状に応じて太陽電池フィルム５１とスクリーン片５４の使用数を変えることができるので、太陽光発電シート５５の大きさの変化への対応が容易である。
【００４３】
また、本実施形態では、太陽光発電シート５５の模様を煉瓦造りの壁模様にしているので、この太陽光発電シート５５を日除け用スクリーンとして使用したロールスクリーン装置やオーニングを例えばビルや住宅等の建築物の窓や出入り口等に設置した場合、日除け用スクリーンを降ろすことで建築物の外観を煉瓦調に変身させることができると共に、日除け用スクリーンを巻き取ることで窓や出入り口等からの採光が可能になって室内空間を開放的なものにすることができる。
【００４４】
なお、上述の説明では、太陽電池フィルム５１とスクリーン片５４を抜け部分を設けずに縦横に配置していたが、抜け部分を設けても良い。この場合には、バックシート５０Ａを透明にしておくことで抜け部分からの採光が可能になる。また、スクリーン片５４の部分を全て抜け部分にしても良い。
【００４５】
また、上述の説明では、太陽電池フィルム５１やスクリーン片５４等をバックシート５０Ａとサーフェスシート５０Ｂとで挟み込んでラミネート加工していたが、ラミネート加工に限られない。例えば、縫製、接着等でも良い。
【００４６】
また、上述の説明では、複数の太陽電池フィルム５１で列６２を構成していたが、細長い帯状の太陽電池フィルム５１を使用して１枚の太陽電池フィルム５１で列６２を構成しても良い。
【００４７】
また、上述の説明では、太陽光発電シート５５の模様を煉瓦壁模様にするために太陽電池フィルム５１及びスクリーン片５４の色を煉瓦色にしていたが、煉瓦色以外の色（煉瓦色とは異なる系統の色）にしても良い。また、上述の説明では、太陽光発電シート５５とスクリーン片５４とを同系統の色にしていたが、太陽光発電シート５５とスクリーン片５４とを別系統の色にしても良い。さらに、様々な色のスクリーン片５４を使用して、例えばステンドグラスのような模様にしても良い。
【００４８】
次に、巻き取り式日除け装置（以下、単に日除け装置という）について説明する。図５から図１３に、本発明の日除け装置の実施形態の一例を示す。日除け装置は、日除け用のスクリーンとして上述の太陽光発電シート５５を使用すると共に、太陽光発電シート５５から太陽電池フィルム５１の出力を取り出す第２の配線６０を備えている。なお、図８は図６のＺ−Ｚ線に沿う断面図、図１０は図９のIII−III線に沿う断面図、図１１は図９のVI−VI線に沿う断面図、図１３（Ａ）は同（Ｂ）のＹ−Ｙ線に沿う断面図、図１３（Ｂ）は同（Ａ）のＸ−Ｘ線に沿う断面図である。
【００４９】
本実施形態では、日除け装置としてロールスクリーン装置に適用しているが、必ずしもロールスクリーン装置に限られず、巻き取り式のオーニングやロースカーテン等にも適用可能である。即ち、ローラで巻き取る日除け用のスクリーンを備えており、使用時に日除け用スクリーンをローラから引き出すものであれば適用可能である。
【００５０】
ロールスクリーン装置は、スクリーン１（太陽光発電シート５５）を巻き取るローラ２と、スクリーン１の引き出し側辺に取り付けられたフロントフレーム３と、フロントフレーム３の両端を案内する左右一対のガイドレール４と、左右一対のガイドレール４の少なくとも一方に沿って設けられたラック状部材５と、フロントフレーム３に回転自在に設けられ、ラック状部材５に噛み合うピニオンギア６が取り付けられたシャフト７と、シャフト７をフロントフレーム３に係止する係止手段８と、係止手段８によるシャフト７の係止を解除する操作手段９とを備えている。
【００５１】
本実施形態では、例えば住宅の窓の外に設置する場合を例に説明するが、設置場所としてはこれに限られない。また、屋外への設置に限られず、屋内に設置しても良い。
【００５２】
ロールスクリーン装置は、窓の上に水平に固定されるメインフレーム１０と、窓の両脇に垂直に固定される左右のサイドフレーム１１を有している。メインフレーム１０の両端にはサイドキャップ１２が例えばボルトによって固定されており、左右のサイドキャップ１２は左右のサイドフレーム１１の上端に例えばボルトによって固定されている。メインフレーム１０は左右一対の取付金具１３によって壁２２に固定され、各サイドフレーム１１の下端は取付金具１４によって壁２２に固定されている。
【００５３】
スクリーン１を巻き取るローラ（以下、巻き取りローラという）２は、その両端を左右のサイドキャップ１２によって支持されている。巻き取りローラ２は図示しないスプリングによってスクリーン１を巻き取る方向に常時付勢されている。巻き取りローラ２の上方は、左右一対の取付金具１３に固定されたルーフ１５で覆われている。ルーフ１５の両端は左右のサイドプレート１６によって覆われている。
【００５４】
左右のサイドフレーム１１にはフロントフレーム３の両端を案内するガイドレール４が設けられている。本実施形態では、サイドフレーム１１にガイドレール４を一体形成しているが、別体のガイドレール４をサイドフレーム１１に取り付けるようにしても良い。サイドフレーム１１にガイドレール４を一体形成することで部品点数を減らすことができ、製造コストを安くすることができると共に壁２２への施工を容易にすることができる。
【００５５】
また、ガイドレール４にはラック状部材５が設けられている。ラック状部材５としては、ピニオンギア６と噛み合って、回転するピニオンギア６を線状に移動させることができるものであれば良く、ラックの他、ピニオンギア６に噛み合うように一定のピッチで設けられた多数の小孔や、その他のものも含まれる。本実施形態では、ラック状部材５としてピニオンギア６に噛み合うように一定のピッチで多数の小孔を設けている。また、本実施形態では、左右のガイドレール４にラック状部材５を設けている。
【００５６】
フロントフレーム３はスクリーン１の引き出し側縁とほぼ同じ長さのフレームであり、上部にはスクリーン１連結用の凹部３ａが、下部にはシャフト７収容用の凹部３ｂがそれぞれ全長に亘り形成されている。スクリーン１連結用の凹部３ａには、スクリーン１の引き出し側縁に設けられた袋状部１ａが挿入されている。袋状部１ａ内に連結パイプ１７を挿入して凹部３ａ内で袋状部１ａを広げることで凹部３ａ内から袋状部１ａが抜けなくなり、スクリーン１の引き出し側縁にフロントフレーム３を連結することができる。フロントフレーム３の両端には左右のガイドレール４に案内される左右のスライダ１８が例えばボルトによって固定されている。
【００５７】
シャフト７は、中央の小径パイプ７ａと、小径パイプ７ａの両端に連結された左右の大径パイプ７ｂと、左右の大径パイプ７ｂの外側端に連結された左右のエンドバー７ｃより構成されている。このようにシャフト７を分割することでシャフト７の中央部分を細くするのが容易になる。シャフト７の中央部分には、詳しくは後述するように係止手段８および操作手段９を取り付けられるので、中央部分を細くしておくことで係止手段８および操作手段９が太くなり過ぎるのを防止することができる。
【００５８】
シャフト７はフロントフレーム３のシャフト７収容用の凹部３ｂ内に収容され、左右のエンドバー７ｃの先端を左右のスライダ１８を貫通させて突出させている。左右のエンドバー７ｃの突出部分にはラック状部材５に噛み合うピニオンギア６が取り付けられている。ピニオンギア６はエンドバー７ｃに対して相対回転不能になっている。
【００５９】
小径パイプ７ａはフロントフレーム３のシャフト７収容用の凹部３ｂ内に嵌め込まれた左右一対のシャフトホルダ１９，２０によって回転自在に支持されている。各シャフトホルダ１９，２０にはシャフト７収容用の凹部３ｂの開口部分に嵌め込まれる凸部１９ａ，２０ａが設けられており、フロントフレーム３に対して回転不能となっている。一方、各シャフトホルダ１９，２０と小径パイプ７ａとの間には小径パイプ７ａの回転抵抗を減少させるスリーブ２１が設けられている。
【００６０】
本実施形態では、シャフト７をフロントフレーム３に係止する係止手段８としてシャフト７の周面を締め付けて係止するコイルスプリングを、係止手段８によるシャフト７の係止を解除する操作手段９としてコイルスプリングの締め付け力を緩めるレバーをそれぞれ採用している。ただし、これらには限られない。例えば、摩擦抵抗を付与する部材によってシャフト７の回転を規制するようにしても良いし、シャフト７に設けた孔にピン等を差し込み回転規制するようにして良く、その他の手段でも構わない。要するに、シャフト７の回転を規制する事ができれば良いのである。
【００６１】
係止手段８および操作手段９はフロントフレーム３の中央に設けられている。操作手段９は、フロントフレーム３のシャフト７収容用の凹部３ｂ内の各シャフトホルダ１９，２０の間に配置される円筒部９ａと、凹部３ｂの開口から外に延出するレバー部９ｂより構成されている。係止手段８としてのコイルスプリングは円筒部９ａの内周面に設けられた切り欠き部分９ｃに収容されて小径パイプ７ａの周囲に巻き付けられており、その一端は一方のシャフトホルダ１９に設けられた係止用孔１９ｂに、他端は円筒部９ａに設けられた係止用孔９ｄにそれぞれ挿入されて係止されている。係止手段８が小径パイプ７ａを締め付けている状態ではその摩擦力で小径パイプ７ａは回転できない。即ち、シャフト７がフロントフレーム３に係止される。係止手段８としてのコイルスプリングの巻方向は、円筒部９ａを解除方向（図１０（Ｂ），図１１（Ｂ）の矢印ＣＣＷ方向）に回転させる（操作する）と小径パイプ７ａの締め付けが緩む方向になっている。
【００６２】
なお、本実施形態では、一方のシャフトホルダ１９には係止用孔１９ｂが複数設けられており（図１１）、使用する係止用孔１９ｂを選択することで係止手段８の小径パイプ７ａの締め付け力を調節することができる。
【００６３】
シャフト７の両端にはラック状部材５に噛み合っているピニオンギア６が取り付けられているので、シャフト７が回転しなければフロントフレーム３を移動させることができない。即ち、係止手段８によってシャフト７をフロントフレーム３に係止することで、フロントフレーム３をガイドレール４にロックすることができる。操作手段９が操作されていない状態（図１０（Ａ），図１１（Ａ））では、係止手段８のばね力によってフロントフレーム３のロック状態は維持される。
【００６４】
一方、操作手段９を操作して係止手段８によるシャフト７の係止を解除することで（図１０（Ｂ），図１１（Ｂ））、フロントフレーム３のロックは解除され、ピニオンギア６をラック状部材５に対して回転させながらフロントフレーム３を移動させることができる。このとき、フロントフレーム３の両端のスライダ１８が左右のガイドレール４に案内されるので、フロントフレーム３はガイドレール４に沿って移動する。
【００６５】
次に、ロールスクリーン装置の使用について説明する。使用者が操作手段９を操作していない状態では、フロントフレーム３はガイドレール４にロックされており移動できないので、風に煽られる等してスクリーン１が引き出されることがなく、収納状態（スクリーン１が巻き取りローラ２に巻き取られている状態）を維持することができる。
【００６６】
使用者が操作手段９を操作してフロントフレーム３のロックを解除すると、フロントフレーム３の移動が可能になる。使用者は操作手段９を操作しながらフロントフレーム３を移動させてスクリーン１を巻き取りローラ２から引き出す。このとき、使用者はレバー部９ｂを掴んで係止解除操作を行いながらそのままフロントフレーム３を移動させることができるので、所謂ワンタッチ操作となり、使い勝手に優れている。そして、フロントフレーム３を所望の位置まで移動させた後、使用者が操作手段９から手を放すと、係止手段８がシャフト７を係止しフロントフレーム３がロックされるので、スクリーン１の長さを固定することができる。この状態では、フロントフレーム３はガイドレール４にロックされているので、風に煽られる等してスクリーン１がばたつくことを防止することができる。
【００６７】
本発明では、係止手段８によってシャフト７を係止し、ガイドレール４に設けられたラック状部材５に噛み合うピニオンギア６を回転できないようにすることで、フロントフレーム３をロックするので、フロントフレーム３の移動できる範囲において任意の位置にフロントフレーム３をロックすることができる。
【００６８】
また、本実施形態では、ラック状部材５とピニオンギア６の組合せを左右一対設けているので、スクリーン１をよりしっかりと止めることができ、フロントフレーム３が斜めになるのをより確実に防止することができる。
【００６９】
なお、上述の説明では、ラック状部材５およびピニオンギア６の組合せを左右一対設けていたが、いずれか一方にのみ設けるようにしても良い。
【００７０】
また、上述の説明では、フロントフレーム３を上昇させる（スクリーン１を巻き取る）場合と下降させる（スクリーン１を引き出す）場合の両方向について操作手段９を係止解除操作しながらフロントフレーム３を移動させるようにしていたが、例えば係止手段８としてのコイルスプリングの巻き付け力を調整しておき、当該コイルスプリングの巻部分を拡げる方向にシャフト７が回転する場合にはシャフト７の回転によってコイルスプリングの巻部分を拡げてシャフト７の係止を自動的に解除し、操作手段９を係止解除操作せずにそのままフロントフレーム３を移動させるようにしても良い。即ち、フロントフレーム３を下降させる場合にコイルスプリングの巻部分を拡げる方向にシャフト７が回転し、フロントフレーム３を上昇させる場合にコイルスプリングの巻部分を縮める方向にシャフト７が回転するときには、フロントフレーム３を下降させる場合にはシャフト７の係止が自動的に解除されるので操作手段９を係止解除操作せずにそのままフロントフレーム３を下降させるようにし、フロントフレーム３を上昇させる場合にはシャフト７の係止は自動解除されないので操作手段９を係止解除操作しながらフロントフレーム３を上昇させるようにしても良い。逆に、フロントフレーム３を上昇させる場合にコイルスプリングの巻部分を拡げる方向にシャフト７が回転し、フロントフレーム３を下降させる場合にコイルスプリングの巻部分を縮める方向にシャフト７が回転するときには、フロントフレーム３を上昇させる場合にはシャフト７の係止が自動的に解除されるので操作手段９を係止解除操作せずにそのままフロントフレーム３を上昇させるようにし、フロントフレーム３を下降させる場合にはシャフト７の係止は自動解除されないので操作手段９を係止解除操作しながらフロントフレーム３を下降させるようにしても良い。
【００７１】
第２の配線６０としてプラス用のものとマイナス用のものが設けられている。第２の配線６０は、例えばローラ２に設けられており、一端は取り出し電極５６，５７に接続され、他端はローラ２の端から引き出されて例えばバッテリ６１に接続されている。太陽光発電シート５５の太陽電池フィルム５１の出力（電力）は、第１の配線５２及び第２の配線６０を通じてバッテリ６１に蓄えられる。
【００７２】
なお、本実施形態では発生させた電力をバッテリ６１に蓄えるようにしていたが、これに限られない。例えば、電灯等の負荷等に直接接続しても良い。
【００７３】
このように、本発明の日除け装置では太陽光発電を行うことができる。また、太陽光発電シート５５の模様を煉瓦造りの壁模様にしているので、日除け用のスクリーン１を降ろすことで設置した住宅の外観を煉瓦調に変身させることができると共に、日除け用のスクリーン１を巻き取ることで窓からの採光が可能になって室内空間を開放的なものにすることができる。
【００７４】
なお、上述の形態は本発明の好適な形態の一例ではあるがこれに限定されるものではなく本発明の要旨を逸脱しない範囲において種々変形実施可能である。
【００７５】
例えば、上述の説明では、手動でスクリーン１（太陽光発電シート５５）を引き出したり巻き取ったりしていたが、例えば電動モータ等の駆動力によってスクリーンの引き出し・巻き取りを行うようにしても良い。なお、この場合にはバッテリ６１に蓄えた電力を使用することが好ましい。また、スクリーン１を引き出したときにばねを弾性変形させてその弾性力を利用してスクリーン１を巻き取るようにしても良い。
【００７６】
また、上述の説明では、スクリーン１を上下方向に移動させるようにしていたが、スクリーン１の移動方向はこれに限られない。例えばスクリーン１を水平方向や斜め方向に移動させるようにしても良い。
【００７７】
また、上述の説明では、ローラ２を水平に配置していたが、垂直に配置しても良い。
【符号の説明】
【００７８】
１  日除け用のスクリーン
２  ローラ
５０  ベースシート
５１  太陽電池フィルム
５２  第１の配線
５３  ブランク領域
５４  スクリーン片
５５  巻き取り式太陽光発電シート（日除け用のスクリーン）
５８  目隠し模様
６０  第２の配線
６２  太陽電池フィルムの列
【図３】
2013183101.tif 000003
【図６】
2013183101.tif 000004
【図７】
2013183101.tif 000005
【図８】
2013183101.tif 000006
【図９】
2013183101.tif 000007
【図１０】
2013183101.tif 000008
【図１１】
2013183101.tif 000009
【図１２】
2013183101.tif 000010
【図１３】
2013183101.tif 000011
【図１４】
2013183101.tif 000012
【図１５】
2013183101.tif 000013
【図１】
2013183101.tif 000014
【図２】
2013183101.tif 000015
【図４】
2013183101.tif 000016
【図５】
2013183101.tif 000017